(57)【要約】【課題】プログラム書き換え用配線を介した伝搬ノイズによるマイクロコンピュータの誤動作を防止できる電気機器を提供する。【解決手段】外部電源が電源回路２１に接続されると、フラッシュマイコン１１の「Ｖcc」端子,「Ｖss」端子に電源を供給すると共に、リセット回路２２からリセット信号が出力される。上記リセット回路２２から出力されたリセット信号を受けたフラッシュマイコン１１は、内蔵のフラッシュメモリに記憶されたプログラムに従って通常動作すると共に、リレー駆動回路１２,１３によりリレーＲｙ１,Ｒｙ２をオフ状態にする。【選択図】図３
2014002669.tif 000002
【特許請求の範囲】
【請求項１】
マイクロコンピュータと、
上記マイクロコンピュータのプログラムを記憶する不揮発性メモリと、
上記不揮発性メモリに記憶された上記プログラムを書き換えるための外部装置と上記マイクロコンピュータとを接続するためのプログラム書き換え用配線と、
上記プログラム書き換え用配線のうちの信号線と上記マイクロコンピュータの信号端子との接続と遮断とを切り替える切替えスイッチと、
上記切替えスイッチを制御するスイッチ制御回路と、
外部電源に接続されることにより、上記マイクロコンピュータの電源端子に電源を供給する電源回路と、
上記マイクロコンピュータを通常動作させるためのリセット信号を上記マイクロコンピュータに出力するリセット回路と、
を備え、
上記マイクロコンピュータは、上記リセット回路から出力された上記リセット信号を受けると、上記スイッチ制御回路を制御して、上記切替えスイッチをオフ状態にすることを特徴とする電気機器。
【請求項２】
請求項１に記載の電気機器において、
上記電源回路に上記外部電源を接続せずに、上記プログラム書き換え用配線の外部コネクタに上記外部装置が接続されるプログラム書き換え時は、上記プログラム書き換え用配線のうちの電源線を介して上記マイクロコンピュータの電源端子に上記外部装置から電源が供給されると共に、上記スイッチ制御回路により上記切替えスイッチをオン状態にすることを特徴とする電気機器。
【請求項３】
請求項１または２に記載の電気機器において、
上記切替えスイッチは、上記プログラム書き換え用配線のうちの信号線と上記マイクロコンピュータとの間を、接点を介して接続する機械式リレーであることを特徴とする電気機器。
【請求項４】
請求項１から３までのいずれか１つに記載の電気機器は、本体と、上記本体の上部に開閉自在に取り付けられ、上記マイクロコンピュータが内部に配置された蓋体とを有する炊飯器であることを特徴とする電気機器。
【発明の詳細な説明】
【技術分野】
【０００１】
この発明は、電気機器に関し、詳しくはマイクロコンピュータを備えた電気機器に関する。
【背景技術】
【０００２】
従来、電気機器としては、フラッシュメモリを内蔵するマイクロコンピュータを備え、外部からプログラム書き換え用配線を介して受けた書き換え用プログラムによりフラッシュメモリを書き換えるものがある(例えば、特開平０８−２２７３５９号公報(特許文献１)参照)。
【０００３】
ところで、上記電気機器では、フラッシュメモリに書き込む書き換え用プログラムのデータを受信するためのプログラム書き換え用配線を外部のコネクタまで引き出していたので、そのプログラム書き換え用配線に外部からノイズが侵入したり、機器が発生させる内部ノイズもプログラム書き換え用配線に侵入したりして、マイクロコンピュータを誤動作させるという問題がある。
【先行技術文献】
【特許文献】
【０００４】
【特許文献１】特開平０８−２２７３５９号公報
【発明の概要】
【発明が解決しようとする課題】
【０００５】
そこで、この発明の課題は、プログラム書き換え用配線を介した伝搬ノイズによるマイクロコンピュータの誤動作を防止できる電気機器を提供することにある。
【課題を解決するための手段】
【０００６】
上記課題を解決するため、この発明の電気機器は、
マイクロコンピュータと、
上記マイクロコンピュータのプログラムを記憶する不揮発性メモリと、
上記不揮発性メモリに記憶された上記プログラムを書き換えるための外部装置と上記マイクロコンピュータとを接続するためのプログラム書き換え用配線と、
上記プログラム書き換え用配線のうちの信号線と上記マイクロコンピュータの信号端子との接続と遮断とを切り替える切替えスイッチと、
上記切替えスイッチを制御するスイッチ制御回路と、
外部電源に接続されることにより、上記マイクロコンピュータの電源端子に電源を供給する電源回路と、
上記マイクロコンピュータを通常動作させるためのリセット信号を上記マイクロコンピュータに出力するリセット回路と、
を備え、
上記マイクロコンピュータは、上記リセット回路から出力された上記リセット信号を受けると、上記スイッチ制御回路を制御して、上記切替えスイッチをオフ状態にすることを特徴とする。
【０００７】
上記構成によれば、外部電源が電源回路に接続されると、マイクロコンピュータの電源端子に電源を供給すると共に、リセット回路からリセット信号が出力され、そのリセット信号を受けたマイクロコンピュータは、不揮発性メモリに記憶されたプログラムに従って通常動作すると共に、スイッチ制御回路により切替えスイッチをオフ状態にすることにより、プログラム書き換え用配線のうちの信号線とマイクロコンピュータの信号端子とが遮断されて、プログラム書き換え用配線を介してノイズがマイクロコンピュータに侵入することがない。したがって、プログラム書き換え時のみプログラム書き換え用配線をマイクロコンピュータに接続し、通常動作時にはプログラム書き換え用配線の接続を遮断してノイズによるマイクロコンピュータの誤動作を防止できる。
【０００８】
また、一実施形態の電気機器では、
上記電源回路に上記外部電源を接続せずに、上記プログラム書き換え用配線の外部コネクタに上記外部装置が接続されるプログラム書き換え時は、上記プログラム書き換え用配線のうちの電源線を介して上記マイクロコンピュータの電源端子に上記外部装置から電源が供給されると共に、上記スイッチ制御回路により上記切替えスイッチをオン状態にする。
【０００９】
上記実施形態によれば、プログラム書き換え時、電源回路に外部電源を接続せずに、不揮発性メモリに記憶されたプログラムを書き換えるための外部装置をプログラム書き換え用配線の外部コネクタに接続することにより、プログラム書き換え用配線のうちの電源線を介して外部装置からマイクロコンピュータの電源端子に電源を供給すると共に、スイッチ制御回路により切替えスイッチをオン状態にする。これにより、上記プログラム書き換え用配線のうちの信号線とマイクロコンピュータの信号端子とが接続されて、不揮発性メモリに記憶されたプログラムの書き換えが外部装置により可能になる。
【００１０】
また、一実施形態の電気機器では、
上記切替えスイッチは、上記プログラム書き換え用配線のうちの信号線と上記マイクロコンピュータとの間を、接点を介して接続する機械式リレーである。
【００１１】
上記実施形態によれば、プログラム書き換え用配線のうちの信号線とマイクロコンピュータとの間を、機械式リレーの接点を介して接続するので、プログラム書き換え用配線を介して伝搬したノイズを確実に遮断することができる。
【００１２】
また、一実施形態の電気機器は、
本体と、上記本体の上部に開閉自在に取り付けられ、上記マイクロコンピュータが内部に配置された蓋体とを有する炊飯器である。
【００１３】
炊飯時に発生する水蒸気からマイクロコンピュータを遮断するために蓋体内の密閉された空間に収納されるような炊飯器では、プログラム書き換え時に蓋体を開けてプログラム書き換え用配線の取り付ける作業を行うことはできず、書き換え用の外部装置を接続するために蓋体内のマイクロコンピュータと外部コネクタとをプログラム書き換え用配線で予め接続することになる。したがって、上記実施形態によれば、炊飯時にヒータ制御などによるノイズがプログラム書き換え用配線に伝搬しやすい構成の炊飯器では、マイクロコンピュータの誤動作を防止する効果が高い。
【発明の効果】
【００１４】
以上より明らかなように、この発明によれば、プログラム書き換え用配線を介した伝搬ノイズによるマイクロコンピュータの誤動作を防止できる電気機器を実現することができる。
【図面の簡単な説明】
【００１５】
【図１】図１はこの発明の実施の一形態の電気機器の一例としての炊飯器の外観を示す斜視図である。
【図２】図２は上記炊飯器のプログラムデータの書き込み時の動作を説明するための模式図である。
【図３】図３は上記炊飯器の商用電源での通常動作を説明するための模式図である。
【発明を実施するための形態】
【００１６】
以下、この発明の電気機器を図示の実施の形態により詳細に説明する。
【００１７】
図１はこの発明の実施の一形態の電気機器の一例としての炊飯器の斜視図を示している。
【００１８】
この実施の形態の炊飯器は、図１に示すように、炊飯器本体１と、炊飯器本体１の上部に開閉自在に取り付けられた蓋体２とを備えている。蓋体２は、上側に設けられた表示操作部３を有する。また、炊飯器本体１は、前面側かつ上側に設けられたフックボタン４と、後面側かつ下側に接続された電源コード５とを有する。また、蓋体２の後面側に蒸気口(図示せず)を設けている。表示操作部３は、液晶表示部と複数の操作ボタンで構成され、この表示操作部３により調理メニューや調理状況などの表示とボタン操作が可能である。
【００１９】
そして、上記蓋体２内の密閉された空間に制御基板１０(図２に示す)を収納している。
【００２０】
図２は上記炊飯器のプログラムデータの書き込み時の動作を説明するための模式図である。図２において、アクティブな配線部分は太実線で示し、非アクティブな配線部分は細い実線で示している。
【００２１】
図２に示すように、制御基板１０は、不揮発性メモリの一例としてのフラッシュメモリを内蔵するマイクロコンピュータであるフラッシュマイコン１１と、機械式のリレーＲｙ１,Ｒｙ２と、スイッチ制御回路の一例としてのリレー駆動回路１２,１３と、電源回路２１と、リセット回路２２とを有する。
【００２２】
また、制御基板１０は、プログラム書き換え用配線１４を介してプログラム書き換え用コネクタ１５に接続されている。このプログラム書き換え用コネクタ１５は、「リセット信号」端子と、「書き込み信号」端子と、「−電源」端子と、「＋電源」端子とを有する。
【００２３】
上記プログラム書き換え用コネクタ１５の「＋電源」端子を、プログラム書き換え用配線１４の電源線を介してフラッシュマイコン１１の「Ｖcc」端子に接続している。
【００２４】
また、上記プログラム書き換え用コネクタ１５の「−電源」端子を、プログラム書き換え用配線１４の電源線を介してフラッシュマイコン１１の「Ｖss」端子に接続している。
【００２５】
また、上記プログラム書き換え用コネクタ１５の「リセット信号」端子を、プログラム書き換え用配線１４の信号線とリレーＲｙ１の接点を介してフラッシュマイコン１１の「リセットポート」端子に接続している。
【００２６】
また、上記プログラム書き換え用コネクタ１５の「書き込み信号」端子を、プログラム書き換え用配線１４の信号線とリレーＲｙ２の接点を介してフラッシュマイコン１１の「書き込みポート」端子に接続している。
【００２７】
また、フラッシュマイコン１１の「Ｖcc」端子に接続されたプログラム書き換え用配線１４の一方の電源線と、リレー駆動回路１２を介してリレーＲｙ１の駆動コイルの一端とを接続し、フラッシュマイコン１１の「Ｖss」端子に接続されたプログラム書き換え用配線１４の他方の電源線と、リレーＲｙ１の駆動コイルの他端とを接続している。
【００２８】
また、フラッシュマイコン１１の「Ｖcc」端子に接続されたプログラム書き換え用配線１４の一方の電源線を、リレー駆動回路１３を介してリレーＲｙ２の駆動コイルの一端に接続し、フラッシュマイコン１１の「Ｖss」端子に接続されたプログラム書き換え用配線１４の他方の電源線を、リレーＲｙ２の駆動コイルの他端に接続している。
【００２９】
上記リレー駆動回路１２,１３の制御入力端子にフラッシュマイコン１１の「リレー駆動ポート」端子を接続している。
【００３０】
また、電源回路２１の「＋」電源出力端子をフラッシュマイコン１１の「Ｖcc」端子に接続し、電源回路２１の「−」電源出力端子をフラッシュマイコン１１の「Ｖss」端子に接続している。上記電源回路２１は、ＡＣプラグ２３を介して交流電源が接続される。
【００３１】
さらに、電源回路２１の他の「＋」電源出力端子をリセット回路２２に接続し、そのリセット回路２２のリセット信号を出力する端子をフラッシュマイコン１１の「リセットポート」端子に接続している。
【００３２】
〔プログラム書き換え時〕
外部装置の一例としてのフラッシュプログラマー(図示せず)等を、プログラム書き換え用コネクタ１５に接続してプログラムデータの書き換えを行う。
【００３３】
このとき、ＡＣプラグ２３は、コンセントに接続していない。フラッシュプログラマーによるプログラムデータの書き換えが開始されると、フラッシュプログラマー(図示せず)からプログラム書き換え用コネクタ１５とプログラム書き換え用配線１４を介して＋電源と−電源がフラッシュマイコン１１に供給される。
【００３４】
そして、＋電源と−電源がフラッシュマイコン１１のＶcc端子,Ｖss端子に供給されると、リレー駆動回路１２,１３は、フラッシュマイコン１１のリレー駆動ポートからリレーオフ信号が出力されない限り、リレーＲｙ１,Ｒｙ２をオンする。リレーＲｙ１,Ｒｙ２がオンすると、フラッシュプログラマーのリセット信号と書き込み信号がリレーＲｙ１,Ｒｙ２の接点を介してフラッシュマイコン１１に接続される。
【００３５】
これにより、フラッシュマイコン１１にプログラムデータを書き込むことができる。
【００３６】
なお、外部装置であるフラッシュプログラマーとフラッシュマイコン１１とは、プログラム書き換え用配線１４のうちの書き込み信号に用いられる１本の信号線によりシリアルデータの双方向通信を行う。
【００３７】
〔通常動作時〕
図３は上記炊飯器の商用電源での通常動作を説明するための模式図である。図３において、アクティブな配線部分は太実線で示し、非アクティブな配線部分は細い実線で示している。
【００３８】
上記炊飯器において、ＡＣプラグ２３を商用電源(コンセント)に接続することにより、商用電源が電源回路２１に供給されると、電源回路２１は＋電源電圧と−電源電圧を出力する。
【００３９】
このとき、リセット回路２２からフラッシュマイコン１１にプログラムを始動させるリセット信号が出力される。これにより、通常動作するフラッシュマイコン１１は、リレーＲｙ１,Ｒｙ２をオフさせるようプログラムされているので、プログラムが始動すると、リレー駆動ポートよりリレー駆動回路１２,１３にリレーオフ信号が出力される。
【００４０】
そして、リレーオフ信号を受けたリレー駆動回路１２,１３は、リレーＲｙ１,Ｒｙ２をオフし、フラッシュマイコン１１の「リセットポート」端子と「書き込みポート」端子がプログラム書き換え用配線１４の信号線から切り離される。
【００４１】
これにより、通常動作時に、プログラム書き換え用配線１４からフラッシュマイコン１１にノイズが入ることが無くなり、フラッシュマイコン１１の誤動作を防止する。
【００４２】
上記構成の炊飯器によれば、通常動作時に外部電源が電源回路２１に接続されると、フラッシュマイコン１１の「Ｖcc」端子,「Ｖss」端子に電源を供給すると共に、リセット回路２２からリセット信号が出力され、そのリセット信号を受けたフラッシュマイコン１１は、内蔵のフラッシュメモリに記憶されたプログラムに従って通常動作すると共に、リレー駆動回路１２,１３にリレーオフ信号を出力してリレーＲｙ１,Ｒｙ２をオフ状態にする。これにより、上記プログラム書き換え用配線１４のうちの信号線とフラッシュマイコン１１の「リセットポート」端子,「書き込みポート」端子とが遮断されて、プログラム書き換え用配線１４を介してノイズがフラッシュマイコン１１に侵入することがない。したがって、プログラム書き換え時のみプログラム書き換え用配線１４をフラッシュマイコン１１に接続し、通常動作時にはプログラム書き換え用配線１４の接続を遮断してノイズによるフラッシュマイコン１１の誤動作を防止できる。
【００４３】
また、プログラム書き換え時、電源回路２１に外部電源を接続せずに、フラッシュマイコン１１のフラッシュメモリに記憶されたプログラムを書き換えるための外部装置をプログラム書き換え用コネクタ１５に接続することにより、プログラム書き換え用コネクタ１５とプログラム書き換え用配線１４のうちの電源線を介して外部装置からフラッシュマイコン１１の「Ｖcc」端子,「Ｖss」端子に電源を供給すると共に、リレー駆動回路１２,１３によりリレーＲｙ１,Ｒｙ２をオン状態にする。これにより、上記プログラム書き換え用配線１４のうちの信号線と、フラッシュマイコン１１の「リセットポート」端子,「書き込みポート」端子とが接続されて、フラッシュマイコン１１のフラッシュメモリに記憶されたプログラムの書き換えが外部装置により可能になる。
【００４４】
また、上記プログラム書き換え用配線１４の信号線とフラッシュマイコン１１との間を、機械式のリレーＲｙ１,Ｒｙ２の接点を介して接続するので、プログラム書き換え用配線１４を介して伝搬したノイズを確実に遮断することができる。
【００４５】
また、炊飯時に発生する水蒸気からフラッシュマイコン１１を遮断するために蓋体内の密閉された空間に収納される炊飯器では、プログラム書き換え時にプログラム書き換え用配線１４の接続作業を行うことはできず、書き換え用の外部装置を接続するために蓋体内のフラッシュマイコン１１とプログラム書き換え用コネクタ１５とをプログラム書き換え用配線１４で予め接続することになる。したがって、炊飯時にヒータ制御などによるノイズがプログラム書き換え用配線１４に伝搬しやすい構成の炊飯器では、フラッシュマイコン１１の誤動作を防止する効果が高い。
【００４６】
上記実施の形態では、電気機器として炊飯器について説明したが、電気機器はこれに限らず、他の加熱調理器などの電気機器にこの発明を適用してもよい。
【００４７】
また、上記実施の形態では、フラッシュメモリ内蔵型のマイクロコンピュータについて説明したが、フラッシュメモリなどの不揮発性メモリとマイクロコンピュータとは別体であってもよい。
【００４８】
また、上記実施の形態では、切替えスイッチとして機械式のリレーＲｙ１,Ｒｙ２を用いたが、これに限らず、半導体リレーなどの他の切替えスイッチを用いてもよい。
【００４９】
また、上記実施の形態では、プログラム書き換え用配線１４を４線式としたが、プログラム書き換え用配線はこれに限らず、３線式または５線式以上のプログラム書き換え用配線でもよい。
【００５０】
さらに、上記実施の形態では、プログラム書き換え用配線１４のうちの書き込み信号に用いられる１本の信号線によりシリアルデータの双方向通信を行ったが、送受信別々のシリアルデータの信号線による双方向通信でもよいし、複数の信号線を用いたパラレルデータの双方向通信でもよい。
【００５１】
この発明の具体的な実施の形態について説明したが、この発明は上記実施の形態に限定されるものではなく、この発明の範囲内で種々変更して実施することができる。
【符号の説明】
【００５２】
１…炊飯器本体
２…蓋体
３…表示操作部
４…フックボタン
５…電源コード
１０…制御基板
１１…フラッシュマイコン
１２,１３…リレー駆動回路
１４…プログラム書き換え用配線
１５…プログラム書き換え用コネクタ
２１…電源回路
２２…リセット回路
２３…ＡＣプラグ
Ｒｙ１,Ｒｙ２…リレー
【図１】
2014002669.tif 000003
【図２】
2014002669.tif 000004
【図３】
2014002669.tif 000005